(57)【要約】【課題】設定値（または画像）を効率的かつ短時間で所定の設定値（または画像）に変更することができる撮像装置を提供する。【解決手段】シャッタスピード、絞り、露出、ＩＳＯ感度を含む設定値を変更するために操作されるカーソル操作手段（十字キー１６）と、画角を変更するために操作されるズーム操作手段（ズームダイアル１３）とを備える。また、カーソル操作手段が操作されている状態で、さらにズーム操作手段が操作されると、設定値が端の値に変更するように制御する制御手段（コントローラ３２）を備える。【選択図】図７
2010081199.tif 000002
【特許請求の範囲】
【請求項１】
設定値を変更するために操作される設定値変更操作手段と、
画角を変更するために操作されるズーム操作手段と、
前記設定値変更操作手段が操作されている状態で、さらに前記ズーム操作手段が操作されると、前記設定値が端の値に変更するように制御する制御手段と、
を備えることを特徴とする撮像装置。
【請求項２】
前記設定値が端の値に変更された後、前記設定値変更操作手段が操作されている状態で、前記ズーム操作手段が最初の操作と逆側に操作されると、前記制御手段は、前記設定値が変更前の値に復帰するように制御することを特徴とする請求項１記載の撮像装置。
【請求項３】
画像を表示するための表示手段と、
前記表示手段に表示される画像を切り替えるために操作される表示画像切替操作手段と、
画角を変更するために操作されるズーム操作手段と、
画像再生時に前記表示画像切替操作手段が操作されている状態で、さらに前記ズーム操作手段が操作されると、前記表示手段に端の画像が表示するように制御する制御手段と、
を備えることを特徴とする撮像装置。
【請求項４】
前記表示手段に端の画像が表示された後、前記表示画像切替操作手段が操作されている状態で、前記ズーム操作手段が最初の操作と逆側に操作されると、前記制御手段は、前記表示手段に直前に表示していた画像が表示するように制御することを特徴とする請求項３記載の撮像装置。
【請求項５】
各設定を行う操作手段と、
画角を変更するために操作されるズーム操作手段と、
前記ズーム操作手段が操作されている状態で、さらに前記操作手段が操作されると、画角が望遠端もしくは広角端まで切り替わるように制御する制御手段と、
を備えることを特徴とする撮像装置。
【請求項６】
前記制御手段は、前記表示画像切替操作手段もしくは前記ズーム操作手段が操作されている間、次にどの操作をすれば画像をジャンプさせることができるかを示すアイコンが、現在値を示すアイコンとは別に前記表示手段に表示するように制御することを特徴とする請求項３または４記載の撮像装置。
【発明の詳細な説明】
【技術分野】
【０００１】
本発明は撮像装置に関する。
【背景技術】
【０００２】
デジタルカメラ等の撮像装置には、シャッタスピード・絞り値・露出値・ＩＳＯ感度等種々の設定値がある。中でもシャッタスピードは、低速限界値から高速限界値までの間を１／２段や１／３段のステップで細かく区切られており、合計で５０ステップ近い設定値に変更することが可能である。
【０００３】
しかし、これだけのステップ数をカーソルキーだけで設定するには、設定値を変更するだけで時間を要してしまい、その間にシャッタチャンスを逃してしまうおそれがある。
【０００４】
特許文献１には以下の技術が提案されている。
【０００５】
即ち、少なくとも第１のシャッタスピード設定範囲と第２のシャッタスピード設定範囲を設け、低速限界値と高速限界値を幅広く設定しても第２のシャッタスピード設定範囲を狭めることにより、シャッタスピード設定時の操作性が悪化しないようにしている。
【０００６】
特許文献２には、例えば、下向きカーソルキーを操作し続け、設定値が最小値に達すると、次に最大値にジャンプして、その後再び減少していき、上向きカーソルキーを操作し続けると、上記と逆の動作になるように制御する技術が提案されている。これにより、設定値が可変範囲を巡回するように変化していき、最小値付近の設定値から最大値付近の設定値への変更、もしくはその逆の変更が容易にできるようになっている。
【特許文献１】特開平８−８２８２９号公報
【特許文献２】特開２００３−１４５８９４号公報
【発明の開示】
【発明が解決しようとする課題】
【０００７】
しかしながら、特許文献１の技術の場合、設定したいシャッタスピードが第２のシャッタスピード設定範囲にない場合、まずはモードスイッチを第１のシャッタスピード設定範囲に切り替え、それからカーソルキーやダイアルで設定値を変更しなければならない。そのため、操作が煩雑になり時間も要してしまう。
【０００８】
また、特許文献２の技術の場合、設定値が最大値と最小値の中間にあるときに、設定値を最大値や最小値に変更したいときは、カーソルキーを押し続けなければならず、やはりそれだけ時間を要してしまう。
【０００９】
本発明の目的は、設定値（または画像）を効率的かつ短時間で所定の設定値（または画像）に変更することができる撮像装置を提供することにある。
【課題を解決するための手段】
【００１０】
上記目的を達成するめに、本発明の撮像装置は、設定値を変更するために操作される設定値変更操作手段と、画角を変更するために操作されるズーム操作手段と、前記設定値変更操作手段が操作されている状態で、さらに前記ズーム操作手段が操作されると、前記設定値が端の値に変更するように制御する制御手段とを備えることを特徴とする。
【００１１】
本発明の撮像装置は、画像を表示するための表示手段と、前記表示手段に表示される画像を切り替えるために操作される表示画像切替操作手段と、画角を変更するために操作されるズーム操作手段と、画像再生時に前記表示画像切替操作手段が操作されている状態で、さらに前記ズーム操作手段が操作されると、前記表示手段に端の画像が表示するように制御する制御手段とを備えることを特徴とする。
【００１２】
本発明の撮像装置は、各設定を行う操作手段と、画角を変更するために操作されるズーム操作手段と、前記ズーム操作手段が操作されている状態で、さらに前記操作手段が操作されると、画角が望遠端もしくは広角端まで切り替わるように制御する制御手段とを備えることを特徴とする。
【発明の効果】
【００１３】
本発明の撮像装置によれば、設定値を効率的かつ短時間で所定の設定値に変更することができる。
【発明を実施するための最良の形態】
【００１４】
以下、本発明を図面を参照しながら詳細に説明する。
【００１５】
図１は、本発明の実施の形態に係る撮像装置としてのデジタルカメラの外観図である。
【００１６】
図１において、カメラ本体１には、パワーボタン１１、モードダイアル１２、ズームダイアル１３、レリーズボタン１４、切り替えレバー１５、十字キー１６、セットキー１７、液晶表示部１８を備えている。
【００１７】
このデジタルカメラにおける各種の設定値は、モードダイアル１２を回転させるかもしくは露出ボタンやＩＳＯ感度ボタンを押して、変更可能な状態にした後、十字キー１６を左もしくは右に押下することで、ユーザが設定、変更することができる。そして液晶表示部１８には現在の設定値を示した画面が表示される。各種の設定値としては、例えば、シャッタスピード・絞り値・露出値・ＩＳＯ感度がある。
【００１８】
例えば、シャッタスピードの設定値を変更する場合には、まずモードダイアル１２をＴｖ（シャッタスピード優先ＡＥモード）、またはＭ（マニュアル露出モード）に合わせる。すると液晶表示部１８には現在の設定値が示され、十字キー１６の左ボタンまたは右ボタンのユーザによる操作によって、図２に示すように、１／３段毎にシャッタスピードの設定値が遷移していく。尚、ここでは最高速のシャッタスピードを１／２０００、最低速のシャッタスピードを１５”としているが、これは撮像装置及びレンズ性能により異なる。
【００１９】
シャッタスピードの現在の設定値が１／５０であるときに十字キー１６の右ボタンを一度押すと、シャッタスピードは１／６０に遷移する。右ボタンを押しっ放しにしていると、１／６０、１／８０、１／１００ ・・・と１ステップ毎に素早く遷移していく。
【００２０】
ここまでは従来のデジタルカメラと同じである。
【００２１】
本発明では、十字キー１６の右ボタンを押している間、液晶表示部１８には、図３に示すように、さらにズームダイアルを右（望遠側）に回転させることにより、設定値を最高速のシャッタスピードに設定可能であることを示すアイコンが表示される。
【００２２】
このときに、十字キー１６の右ボタンを押しながらズームダイアル１３を右に回転させると、シャッタスピードは最高速のシャッタスピード１／２０００に変更される。
【００２３】
ズームダイアル１３を中立位置に戻すと、液晶表示部１８には、図４に示すように、ズームダイアル１３を左（広角側）に回転させることにより、変更前の値（ここでは１／５０）に設定可能であることを示すアイコンが表示される。
【００２４】
このときに、十字キー１６の右ボタンを押しながらズームダイアル１３を左に回転させると、シャッタスピードは変更前の１／５０に復帰する。
【００２５】
また、逆にシャッタスピードを最低速のシャッタスピードに設定したいときは上記と逆の操作をすればよい。即ち、シャッタスピードの現在の設定値が１／５０であるときに十字キー１６の左ボタンを一度押すと、シャッタスピードは１／４０に遷移する。左ボタンを押しっ放しにしていると、１／４０、１／３０、１／２５・・・と１ステップ毎に素早く遷移していく。
【００２６】
十字キー１６の左ボタンを押している間、液晶表示部１８には、さらにズームダイアル１３を左（広角側）に回転させることにより、設定値を最低速のシャッタスピードに設定可能であることを示すアイコンが表示される。
【００２７】
このときに、十字キー１６の左ボタンを押しながらズームダイアル１３を左に回転させると、シャッタスピードは最低速のシャッタスピード１５”に変更される。
【００２８】
ズームダイアル１３を中立位置に戻すと、液晶表示部１８にはズームダイアルを右（望遠側）に回転させることにより、変更前の値に設定可能であることを示すアイコンが表示される。
【００２９】
このときに、十字キー１６の左ボタンを押しながらズームダイアル１３を右に回転させると、シャッタスピードは変更前の１／５０に復帰する。
【００３０】
要するに、十字キー１６の操作とズームダイアル１３の操作を組み合わせることにより、設定値を現在の値、上限値、下限値に一気にジャンプさせることができるのである。この機能により、ユーザは目的の設定値に少ないキー操作で効率的に到達することができる。
【００３１】
例えば、シャッタスピードを現在値１／３０から１／１６００に変更したいとき、ユーザは、十字キー１６の右ボタンを押すと、アイコンによりズームダイアル１３の操作で一気に１／２０００に変更できることを知る。
【００３２】
ズームダイアル１３を右に回転させ１／２０００に変更した後、十字キー１６の左ボタンを１度押すと１／１６００に設定することができる。この操作により、シャッタスピード１／１６００に素早く到達できる。
【００３３】
これに対し、従来技術では十字キー１６を目標設定値までステップ分右ボタンを押すか、右ボタンを押しっ放しにして数秒待たなければ１／１６００へ到達できない。
【００３４】
本発明をズーム操作に応用した例を以下に説明する。
【００３５】
ユーザがズームダイアル１３を右（望遠側）に回転させると、不図示のレンズ鏡筒が駆動し、画角が望遠側に切り替わる。ズームダイアル１３を右に回転させた状態を維持すると、画角が望遠端に切り替わるまでレンズ鏡筒は駆動し続ける。
【００３６】
ズームダイアル１３を右に回転させている間、液晶表示部１８には、さらに十字キー１６の右ボタンを押すことにより、画角を望遠端に設定可能であることを示すアイコンが表示される。
【００３７】
このとき、十字キー１６の右ボタンを押すと、ズームダイアル１３から手を離してもレンズ鏡筒は駆動し続け、画角は望遠端に切り替わる。画角を望遠側から広角端に切り替えたいときは、上記と全く逆の操作をすればよい。
【００３８】
このように、ズームダイアル１３と十字キー１６の組み合わせ操作により、ズームダイアル１３を操作し続けることなく、画角を一気に広角側から望遠端まで、逆に、望遠側から広角端まで切り替えることができる。
【００３９】
尚、ここでは十字キー１６の左右ボタンを操作するとしたが、十字キー１６に限らず他の各種設定ボタンを割り当ててもよい。例えば、ズームダイアル１３を回転させた状態でセットキー１７を押すことにより、画角を望遠端もしくは広角端に設定する、としてもよい。
【００４０】
以上は、デジタルカメラが撮影モードのときの、設定値の変更に関して説明したが、本発明は、再生モード時にも応用できる。以下、再生モード時の本発明の応用例を説明する。
【００４１】
再生モード時に、十字キー１６の右ボタンを押すと、次の画像を表示し、十字キー１６の左ボタンを押すと、前の画像を表示する。画像の表示順は、本実施の形態では撮影順であるとする。
【００４２】
最新の画像を表示した状態で十字キー１６の右ボタンを押すと、最古の画像を表示する。逆に最古の画像を表示した状態で十字キー１６の左ボタンを押すと、最新の画像を表示する。また、十字キー１６の右ボタンもしくは左ボタンを押し続けると、素早く次の画像もしくは前の画像に切り替わり続ける。
【００４３】
十字キー１６の右ボタンを押している間、液晶表示部１８には、図５に示すように、さらにズームダイアル１３を右（望遠側）に回転させることにより、最新の画像にジャンプ可能であることを示すアイコンが表示される。
【００４４】
このときに、十字キー１６の右ボタンを押しながらズームダイアル１３を右に回転させると、最新の画像が表示される。
【００４５】
ズームダイアル１３を中立位置に戻すと、液晶表示部１８には、図６に示すように、ズームダイアル１３を左（広角側）に回転させることにより、元の画像を表示可能であることを示すアイコンが表示される。
【００４６】
このときに、十字キー１６の右ボタンを押しながらズームダイアル１３を左に回転させると、元の画像が表示される。最古の画像にジャンプさせたいときは、上記と全く逆の操作をすればよい。
【００４７】
図７は、図１のデジタルカメラの構成を示すブロック図である。
【００４８】
図７において、操作検出部３１は、十字キー１６及びズームダイアル１３がユーザに操作されたことを検出し、コントローラ３２に通知する。液晶表示部駆動回路（ＬＣＤドライバ）３５は、コントローラ３２からの指令信号に基づいて、液晶表示部１８にどのような画面を表示するかを制御する。
【００４９】
メモリ３３には、各種モード（マニュアル露出モード、シャッタスピード優先ＡＥモード、絞り優先ＡＥモード、プログラムＡＥモード等）毎の現在の設定値や、設定値の可変範囲が記憶されている。
【００５０】
また、メモリ３３には、可変範囲内での設定値変更の刻み量（または、その可変範囲内の具体的な複数の候補値）や、液晶表示部１８に表示すべき画面のデータ（設定値を示す文字フォントや、位置指標等のデータ）が記憶されている。
【００５１】
コントローラ３２は、十字キー１６及びズームダイアル１３のユーザによる操作に応答して、メモリ３３内のデータを用いて、既に説明したような設定値の変更や、液晶表示部１８の画面の変更等を制御する。
【００５２】
図８は、図７のデジタルカメラによって実行される設定値変更処理の手順を示すフローチャートである。
【００５３】
本処理は、図７におけるコントローラ３２の制御の下に実行される。
【００５４】
図８において、コントローラ３２は、まず、デジタルカメラが撮影モードか再生モードかを読み取る（ステップＳ１０１）。
【００５５】
撮影モード時、先に十字キー１６の左ボタンもしくは右ボタンがユーザによって操作される（ステップＳ１０２で「Ｎ」、Ｓ１０３で「Ｙ」）と、コントローラ３２は、現在のモードに合った設定値を変更し、さらにズームダイアル１３の操作をする。このことにより、設定値をジャンプ可能であることを示すアイコンを液晶表示部１８に表示させる（ステップＳ１０４）。
【００５６】
上記ステップＳ１０４の間に、さらに、ズームダイアル１３が操作される（ステップＳ１０５）と、コントローラ３２は、ズームダイアル１３の操作方向に合わせて設定値を上限値もしくは下限値にジャンプさせる。
【００５７】
その後、コントローラ３２は、ズームダイアル１３を逆に操作することにより、設定値を変更前の値に戻すことが可能であることを示すアイコンを液晶表示部１８に表示させる（ステップＳ１０６）。アイコンの指示通りにズームダイアル１３が操作される（ステップＳ１０７）と、設定値を変更前の値に設定する（ステップＳ１０８）。そして、本処理を終了する。
【００５８】
撮影モード時、先にズームダイアル１３がユーザによって操作される（ステップＳ１０２で「Ｙ」）と、コントローラ３２は、鏡筒を駆動させるズームモータ３４に指令を出して鏡筒を駆動させる。
【００５９】
さらに、十字キー１６が操作されることにより、コントローラ３２は、画角を一気に望遠端もしくは広角端まで設定可能であることを示すアイコンを液晶表示部１８に表示させる（ステップＳ１０９）。
【００６０】
アイコンの示す通りに十字キー１６を操作する（ステップＳ１１０で「Ｙ」）と、コントローラ３２は、画角を望遠端もしくは広角端に設定するようズームモータ３４に指令を出し、鏡筒を駆動させる（ステップＳ１１１）。そして、本処理を終了する。
【００６１】
再生モード時、ユーザによって十字キー１６が操作される（ステップＳ１１２）と、コントローラ３２は、十字キー１６の操作に応じて画像を切り替える。
【００６２】
さらに、ズームダイアル１３が操作されることにより、コントローラ３２は、最新の画像もしくは最古の画像にジャンプ可能であることを示すアイコンを液晶表示部１８に表示させる（ステップＳ１１３）。
【００６３】
アイコンの示す通りにズームダイアル１３を操作する（ステップＳ１１４で「Ｙ」）と、コントローラ３２は、画像をジャンプさせ、液晶表示部１８に表示させる（ステップＳ１１５）。そして、本処理を終了する。
【００６４】
ここで、十字キー１６は、シャッタスピード、絞り、露出、ＩＳＯ感度を含む設定値を変更するために操作される設定値変更操作手段として機能する。また、ズームダイアル１３は、画角を変更するために操作されるズーム操作手段として機能する。
【００６５】
また、コントローラ３２は、設定値変更操作手段が操作されている状態で、さらにズーム操作手段が操作されると、設定値が端の値に変更されるように制御する制御手段として機能する。このとき、制御手段は変更される直前の設定値を記憶している。
【００６６】
そして、設定値が端の値に変更された後、設定値変更操作手段が操作されている状態で、ズーム操作手段が最初の操作と逆側に操作されると、制御手段は、設定値が変更前の値に変更されるように制御する。
【００６７】
また、液晶表示部１８は、画像を表示するための表示手段として機能する。また、十字キー１６は、表示手段に表示される画像を切り替えるために操作される表示画像切替操作手段として機能する。
【００６８】
また、コントローラ３２は、画像再生時に表示画像切替操作手段が操作されている状態で、さらにズーム操作手段が操作されると、表示手段に端の画像が表示されるように制御する制御手段として機能する。このとき、制御手段は直前に表示していた画像を記憶している。
【００６９】
そして、表示手段に端の画像が表示された後、表示画像切替操作手段が操作されている状態で、ズーム操作手段が最初の操作と逆側に操作されると、制御手段は、表示手段に直前に表示していた画像が表示されるように制御する。
【００７０】
また、制御手段は、表示画像切替操作手段もしくはズーム操作手段が操作されている間、次にどの操作をすれば画像をジャンプさせることができるかを示すアイコンが、現在値を示すアイコンとは別に表示手段に表示されるように制御する。
【００７１】
また、十字キー１６は、各設定を行う操作手段と機能する。また、コントローラ３２は、ズーム操作手段が操作されている状態で、さらに操作手段が操作されると、画角が望遠端もしくは広角端まで切り替わるように制御する制御手段として機能する。
【００７２】
本実施の形態では、ズーム操作部材は回転タイプのズームダイアル１３としたが、押圧タイプのズームボタンでも構わない。また、設定値の変更と画像の送りを十字キー１６の左右で行っているが、勿論上下でもよい。十字キーが、回転するダイアルタイプのものでもよい。
【００７３】
重要なのは、設定値を変更するカーソル操作手段、設定を行う操作手段と、ズーム操作手段との組み合わせにより、設定値・画像をジャンプさせることができるという点である。また、アイコンの表示は設定によりオフにすることができ、操作に慣れたユーザはアイコン表示をオフにして撮影／再生することができる。
【００７４】
以上、本実施の形態に基づいて本発明を説明したが、本発明は、上記した実施の形態に限定されるものではなく、本発明の要旨の範囲内で種々の変形や応用が可能なことは勿論である。
【図面の簡単な説明】
【００７５】
【図１】本発明の実施の形態に係る撮像装置としてのデジタルカメラの外観図である。
【図２】一般的なデジタルカメラのシャッタスピード設定値の遷移図である。
【図３】図１のデジタルカメラにおけるシャッタスピード設定時に、十字キー右ボタンを押下したときに表示されるアイコンを示す図である。
【図４】図１のデジタルカメラにおけるシャッタスピードの設定値をジャンプさせた後に表示されるアイコンを示す図である。
【図５】図１のデジタルカメラにおける画像再生コマ送り時に表示されるアイコンを示す図である。
【図６】図１のデジタルカメラにおける再生画像をジャンプさせた時に表示されるアイコンを示す図である。
【図７】図１のデジタルカメラの構成を示すブロック図である。
【図８】図７のデジタルカメラによって実行される設定値変更処理の手順を示すフローチャートである。
【符号の説明】
【００７６】
１  カメラ本体
１１  パワーボタン
１２  モードダイアル
１３  ズームダイアル
１４  レリーズボタン
１５  切り替えレバー
１６  十字キー
１７  セットキー
１８  液晶表示部
３１  操作検出部
３２  コントローラ
３４  ズームモータ
【図１】
2010081199.tif 000003
【図２】
2010081199.tif 000004
【図３】
2010081199.tif 000005
【図４】
2010081199.tif 000006
【図５】
2010081199.tif 000007
【図６】
2010081199.tif 000008
【図７】
2010081199.tif 000009
【図８】
2010081199.tif 000010